(57)【特許請求の範囲】
【請求項１】
放電を内部に維持するように形成されたガラス管と、
このガラス管の内面に形成される蛍光面とを有し、
４０５ｎｍから４１０ｎｍに１番目の発光ピーク、４３０ｎｍから４４０ｎｍに２番目の発光ピーク、４８０ｎｍから５１０ｎｍに３番目の発光ピークを有する蛍光ランプにおいて、
前記蛍光面より外側に設けられ、１番目のピークをとり、かつ、２番目のピークを４０％強になるまでとる吸収膜とを備え、
点灯時の光色の、Ｄｕｖを０、相関色温度を２０００Ｋとし、
相関色温度を２５００ＫにしＤｕｖを０にした直管形蛍光ランプの点灯時の光束Φに対するメラトニンへの作用量Ｍの比を基準１００のメラトニン光束比Ｓ（Ｓ＝Ｍ／Φ）とした場合、メラトニン光束比を６１とすることを特徴とする蛍光ランプ。
【請求項２】
放電を内部に維持するように形成されたガラス管と、
このガラス管の内面に形成される蛍光面とを有し、
４０５ｎｍから４１０ｎｍに１番目の発光ピーク、４３０ｎｍから４４０ｎｍに２番目の発光ピーク、４８０ｎｍから５１０ｎｍに３番目の発光ピークを有する蛍光ランプにおいて、
前記蛍光面より外側に設けられ、１番目のピークをとり、かつ、２番目のピークをとり、かつ、３番目のピークを半分にする吸収膜とを備え、
点灯時の光色の、Ｄｕｖを１０、相関色温度を２０００Ｋとし、
相関色温度を２５００ＫにしＤｕｖを０にした直管形蛍光ランプの点灯時の光束Φに対するメラトニンへの作用量Ｍの比を基準１００のメラトニン光束比Ｓ（Ｓ＝Ｍ／Φ）とした場合、メラトニン光束比を１７とすることを特徴とする蛍光ランプ。
【請求項３】
放電を内部に維持するように形成されたガラス管と、
このガラス管の内面に形成される蛍光面とを有し、
４０５ｎｍから４１０ｎｍに１番目の発光ピーク、４３０ｎｍから４４０ｎｍに２番目の発光ピーク、４８０ｎｍから５１０ｎｍに３番目の発光ピークを有する蛍光ランプにおいて、
前記蛍光面より外側に設けられ、１番目のピークをとり、かつ、２番目のピークをとり、かつ、４９０ｎｍにおいて８０％以上の透過率を有する吸収膜とを備え、
点灯時の光色の、Ｄｕｖを１０、相関色温度を２０００Ｋ超２２７０Ｋ未満とし、
相関色温度を２５００ＫにしＤｕｖを０にした直管形蛍光ランプの点灯時の光束Φに対するメラトニンへの作用量Ｍの比を基準１００のメラトニン光束比Ｓ（Ｓ＝Ｍ／Φ）とした場合、メラトニン光束比を１７超５２未満とすることを特徴とする蛍光ランプ。
【請求項４】
放電を内部に維持するように形成されたガラス管と、
このガラス管の内面に形成される蛍光面とを有し、
４０５ｎｍから４１０ｎｍに１番目の発光ピーク、４３０ｎｍから４４０ｎｍに２番目の発光ピーク、４８０ｎｍから５１０ｎｍに３番目の発光ピークを有する蛍光ランプにおいて、
前記蛍光面より外側に設けられ、１番目のピークをとり、かつ、２番目のピークを９０％吸収する吸収膜とを備え、
点灯時の光色の、Ｄｕｖを５、相関色温度を２０３０Ｋとし、
相関色温度を２５００ＫにしＤｕｖを０にした直管形蛍光ランプの点灯時の光束Φに対するメラトニンへの作用量Ｍの比を基準１００のメラトニン光束比Ｓ（Ｓ＝Ｍ／Φ）とした場合、メラトニン光束比を５０とすることを特徴とする蛍光ランプ。
【発明の詳細な説明】
【技術分野】
【０００１】
この発明は、人間に有益な作用をするメラトニン分泌抑制を小さくした特に家庭用の蛍光ランプに関する。メラトニンとは、脳にある松果体から分泌されるホルモンであり、夜間の入眠前から睡眠前半にかけて多く分泌され、体温の低下や入眠促進をうながすと考えられている。
【背景技術】
【０００２】
従来、家庭で用いられる光源は、省エネの観点などから蛍光ランプが主流で、かつ、相関色温度が５０００Ｋ（ケルビン）あるいは６７００Ｋ、さらにそれより高い相関色温度のものが主に用いられている。このように日本で、高い色温度が好まれる理由は、欧米に比較し気温が高いので涼しく感じる高い相関色温度が好まれることなどで説明されるが、文化的、歴史的経緯なども絡み、厳密には明確になっていない。一方で、後述するように、このような、高い相関色温度の照明は、従来から、夜の入眠を妨げることが知られ、落ち着いた雰囲気をもたらすという心理的な理由もあり、相関色温度の低い白熱電球や電球色の蛍光ランプも用いられる場合がある。
【０００３】
このような家庭用の蛍光ランプの主流は３波長形となってきている。この３波長形蛍光ランプは５３０ｎｍから５５０ｎｍにピークのある緑色蛍光体と、６００ｎｍから６５０ｎｍにピークのある赤色蛍光体と、４４０ｎｍから４９０ｎｍにピークのある青色蛍光体との比較的幅の狭い３群の蛍光体を用い、要求された光色をその混合比率を変えて実現するものである。
【０００４】
メラトニンは、夜、円滑な睡眠をもたらす作用の他、最近は抗腫瘍作用、活性酸素除去など、ヒトの体内において重要な役割を担っていると推定されてきており、光によりその分泌が過剰に抑制されることが課題とされている（例えば、非特許文献１参照）。
【０００５】
人間の体内のメラトニン分泌への光による抑制作用に着目し、光源の光を放射する側に、４１０ｎｍ〜５０５ｎｍの光をカットするフィルターを設ける技術などが提案されている（特許文献１参照）。
【０００６】
また、光がメラトニン分泌抑制に働く、分光作用関数が提案されており、この分光作用関数を使って、メラトニン分泌抑制効果を評価することが可能になってきている。この分光作用関数を図４に示す。図４によると、メラトニン分泌抑制感度がピークとなる波長は４６４ｎｍであり、ピーク波長４６４ｎｍから５０５ｎｍまでの範囲で、とくに分泌抑制感度が高くなることが分かる（例えば、非特許文献２参照）。
【非特許文献１】石堂  正美：「メラトニンの作用機構と機構」、第１４回ＪＣＩＥセミナー試料、２００６年、ｐｐ１−４
【非特許文献２】Ｂｒａｉｎａｒｄ，Ｇ．Ｃ．，  ｅｔ．ａｌ  ：“Ａｃｔｉｏｎ  Ｓｐｅｃｔｒｕｍ  ｆｏｒ  Ｍｅｌａｔｏｎｉｎ  Ｒｅｇｕｌａｔｉｏｎ  ｉｎ  Ｈｕｍａｎｓ：Ｅｖｉｄｅｎｃｅ  ｆｏｒ  ａ  Ｎｏｖｅｌ  Ｃｉｒｃａｄｉａｎ  Ｐｈｏｔｏｒｅｃｅｐｔｏｒ”，  Ｔｈｅ  Ｊｏｕｒｎａｌ  ｏｆ  Ｎｅｕｒｏｓｃｉｅｎｃｅ，Ａｕｇｕｓｔ  １５，  ２００１，  ２１（１６）：６４０６−６４１２
【特許文献１】特開２００５−２３０１７１号公報
【発明の開示】
【発明が解決しようとする課題】
【０００７】
このようにメラトニン分泌の抑制作用を低減するため、例えば、特許文献１においては、ランプの前面にメラトニン分泌抑制を最小限にするために設けたフィルタにより、４１０ｎｍ〜５０５ｎｍの青色系の発光を抑制する技術が開示されている。しかしながら、通常のランプにこのようなフィルタをかけると、光色がずれ、特にＤｕｖが大きくずれて不快な印象の照明となる。相関色温度とＤｕｖについては、ＪＩＳ  Ｚ  ８７２５「光源の分布温度及び色温度・相関色温度測定方法」にｕｖ色度座標上で定義されている。Ｄｕｖは黒体放射の光色の軌跡と、注目している光色のｕｖ座標上の点との距離を１０００倍し、この点が黒体放射の軌跡のｖが大きい側であればプラス、小さい側であればマイナスとしたものである。光色の相関色温度の値を表示するに際しては、黒体放射軌跡からの偏差ｄｕｖ又はＤｕｖ（＝１０００ｄｕｖ）を併記するのが望ましいとされている。
【０００８】
また、フィルタを用いないで、３波長形蛍光ランプの蛍光体の混合比率を変えても、メラトニン分泌抑制作用を押さえるには限界がある。
【０００９】
この発明は、上記のような課題を解決するためになされたもので、光色を不快な領域とせず、メラトニン分泌の抑制作用を最小限にした蛍光ランプを提供することを目的とする。
【課題を解決するための手段】
【００１０】
この発明に係る蛍光ランプは、放電を内部に維持するように形成されたガラス管と、このガラス管の内面に形成され、５３０ｎｍから５５０ｎｍにピークのある緑色蛍光体と、６００ｎｍから６５０ｎｍにピークのある赤色蛍光体とを少なくとも含み、さらに、４４０ｎｍから４９０ｎｍにピークのある青色蛍光体がないか、もしくは、その発光エネルギーが点灯中、当該蛍光ランプからの可視放射全体のエネルギーの１％以下となる量のみ含むように構成される蛍光面と、蛍光面より外側に設けられ、透過率が４１５ｎｍ以下の各波長において２０％以下、４９０ｎｍにおいて８０％以上の吸収層とを備え、点灯時の光色が、Ｄｕｖを−１０以上１０以下、相関色温度を２０００Ｋ以上となるように赤色蛍光体と緑色蛍光体の比率を調整したことを特徴とする。
【００１１】
また、この発明に係る蛍光ランプは、Ｄｕｖの範囲を−１０から２の範囲としたことを特徴とする。
【００１２】
また、この発明に係る蛍光ランプは、Ｄｕｖの範囲を５から１０の範囲としたことを特徴とする。
【００１３】
また、この発明に係る蛍光ランプは、放電を内部に維持するように形成されたガラス管と、このガラス管の内面に形成され、５３０ｎｍから５５０ｎｍにピークのある緑色蛍光体と、６００ｎｍから６５０ｎｍにピークのある赤色蛍光体と、４４０ｎｍから４９０ｎｍにピークのある青色蛍光体とを少なくとも含む蛍光面と、蛍光面より外側に設けられ、透過率が４１５ｎｍ以下の各波長において２０％以下、４３５ｎｍにおいて７０％以上の吸収層とを備え、点灯時の光色が、Ｄｕｖを−１０以上１０以下、相関色温度を２５００Ｋ以上３０００Ｋ以下となるように赤色蛍光体と緑色蛍光体の比率を調整したことを特徴とする。
【発明の効果】
【００１４】
この発明に係る蛍光ランプは、ガラス管の内面に形成される蛍光面を、５３０ｎｍから５５０ｎｍにピークのある緑色蛍光体と、６００ｎｍから６５０ｎｍにピークのある赤色蛍光体とを少なくとも含み、さらに、４４０ｎｍから４９０ｎｍにピークのある青色蛍光体がないか、もしくは、その発光エネルギーが点灯中、当該蛍光ランプからの可視放射全体のエネルギーの１％以下となる量のみ含むように構成し、蛍光面より外側に、透過率が４１５ｎｍ以下の各波長において２０％以下、４９０ｎｍにおいて８０％以上の吸収層を設け、点灯時の光色が、Ｄｕｖを−１０以上１０以下、相関色温度を２０００Ｋ以上となるように赤色蛍光体と緑色蛍光体の比率を調整したことにより、光色を不快な領域とせず、かつ、メラトニン分泌の抑制作用を小さくした蛍光ランプが実現される。
【００１５】
また、この発明に係る蛍光ランプは、Ｄｕｖの範囲を−１０から２の範囲とすることにより、紫が強くもなく、また緑味が増すこともなく、十分な快適性が得られる。
【００１６】
また、この発明に係る蛍光ランプは、Ｄｕｖの範囲を５から１０の範囲とすることにより、メラトニン分泌抑制作用を小さくする効果を大きくできる。
【００１７】
また、この発明に係る蛍光ランプは、ガラス管の内面に形成される蛍光面は、５３０ｎｍから５５０ｎｍにピークのある緑色蛍光体と、６００ｎｍから６５０ｎｍにピークのある赤色蛍光体と、４４０ｎｍから４９０ｎｍにピークのある青色蛍光体とを少なくとも含み、蛍光面より外側に、透過率が４１５ｎｍ以下の各波長において２０％以下、４３５ｎｍにおいて７０％以上の吸収層を設け、点灯時の光色が、Ｄｕｖを−１０以上１０以下、相関色温度を２５００Ｋ以上３０００Ｋ以下となるように赤色蛍光体と緑色蛍光体の比率を調整することにより、同じ光色で比較して、メラトニン分泌抑制作用を減じることができる。
【発明を実施するための最良の形態】
【００１８】
実施の形態１．
図１乃至図３は実施の形態１を示す図で、図１は一部を断面で示す直管形蛍光ランプ１０（蛍光ランプの一例）の平面図、図２は蛍光面３付近の拡大断面図、図３は直管形蛍光ランプ１０の分光分布を示す図である。
【００１９】
図１に示すように、直管形蛍光ランプ１０は、ガラス管１の内部の両端に電子放射物質を備えたフィラメント２ａ、フィラメント２ｂ（図示せず）が電極として設けられ、さらに希ガスと水銀を封入して密封されている。
【００２０】
また、図２に示すように、ガラス管１の内面には、蛍光面３が形成されている。この蛍光面３は、３群の蛍光体、すなわち５３０ｎｍから５５０ｎｍにピークのある緑色蛍光体と、６００ｎｍから６５０ｎｍにピークのある赤色蛍光体と、４４０ｎｍから４９０ｎｍにピークのある青色蛍光体の混合体を主成分とし、このうち第３の青色蛍光体成分はないか、もしくは点灯中その発光エネルギーがランプからの全発光エネルギーの１％以下となる量を含有する。
【００２１】
さらに、この蛍光面３の外側、図２の例では、ガラス管１の外面には透過率が４１５ｎｍ以下の各波長において２０％以下、４９０ｎｍにおいて８０％以上である吸収層の一例の吸収膜４を備えている。
【００２２】
この直管形蛍光ランプ１０は次のように動作する。適当な点灯装置からフィラメント２ａ、フィラメント２ｂに電流が流され、予備加熱した後、両端に電圧が印加されると放電が開始し、水銀放電が形成される。その水銀放電から放射される２５３．７ｎｍの紫外線を蛍光面３を形成する蛍光体が可視光に変換し、その可視光は吸収膜４を透過することによって、一部の波長の放射を吸収した後、外部に放射され、照明に利用されるようになっている。
【００２３】
この発光は、Ｄｕｖが−１０〜＋１０の間、相関色温度は２０００Ｋ以上であるが、図３は、この分光分布の一例を示しており、２２２０Ｋ、Ｄｕｖがほぼ０、後述するメラトニン光束比の基準に対する比（相対メラトニン光束比）が７６である。
【００２４】
この例では、吸収膜４の透過率が、４１５ｎｍ付近で１０％、ここから上昇し、４４５ｎｍで９０％、４８５ｎｍでほぼ１００％となっており、青色蛍光体の発光エネルギーは直管形蛍光ランプ１０から放射される可視放射全体のエネルギーの約０．３％である。なお、図３には、この吸収膜４をはずした場合の分光分布を破線で示している。
【００２５】
（快適な光色範囲）
後述するように、メラトニン分泌作用抑制を低減するためには、相関色温度を小さくし、Ｄｕｖを大きくすると良いが、次のような制約がある。Ｄｕｖは快適性の観点から−１０〜２程度がよい。−１０より小さくなると、紫が強くなり、不快な感じになる。一方、２を越えて大きくなると、緑味が増し、若干、快適性が十分でなくなる傾向があり、さらに１０を越えると明確に不快感を感じ始める。すなわち、ある程度快適性で我慢できる範囲としてはＤｕｖが１０より小さい範囲である必要がある。
【００２６】
相関色温度については、その環境の目的に合わせることとか、好みが重要になってくる。概して、くつろぎの雰囲気や睡眠前の雰囲気としては、３０００Ｋ以下の相関色温度が好まれる傾向がある。しかしながら、２０００Ｋを割ると、オレンジの感じが強くなり、実際の照明環境としては好まれなくなる。これらの条件で、メラトニン分泌抑制作用を低減することが目標になる。
【００２７】
（メラトニン光束比の定義）
次にメラトニン分泌抑制作用の評価について説明する。図４に示すメラトニン分泌に対する分光作用関数をＭ（λ）とし、問題とするランプあるいは照明器具の全出力の分光エネルギー分布をＩ（λ）とすると、メラトニンへの作用量Ｍは、次式となる。
Ｍ＝ｋ∫Ｍ（λ）Ｉ（λ）ｄλ        （１）
ただし、ｋは任意に定める定数、λは波長である。光束は上記分光エネルギー分布Ｉ（λ）に視感度Ｖ（λ）の積分値に定数をかけたものであるから、ランプあるいは照明器具から出力する光束Φに対するこのメラトニンへの作用量Ｍの比が、適当な光束を得ることを前提にした場合のメラトニン分泌抑制の程度を比較できる量となる。この量をメラトニン光束比Ｓとする。すなわち、
Ｓ＝Ｍ／Φ                      （２）
なお、ここではｋ＝１とおく。このＳは同じ光量をとったときのメラトニン分泌抑制の作用量を表すので、照明器具のメラトニン分泌抑制作用をこのＳの大小で評価することができる。
【００２８】
（光色の調整方法、相対メラトニン光束比の定義）
比較的任意に光色を作ることのできる３波長形蛍光ランプを用いて、メラトニン光束比と光色との関係を調べた。その結果、相関色温度が小さくなるほど、メラトニン光束比が小さくなることが確認され、さらにＤｕｖが大きくなるほど、ほぼメラトニン光束比が小さくなることが分かった。上述のように、メラトニン光束比を下げるのにＤｕｖを上げるという手段には限界がある。このため、まず、黒体輻射と同じＤｕｖ＝０を条件として、相関色温度を下げてゆく検討を行う。具体的には青色蛍光体の比率を減少させながら、赤色蛍光体と緑色蛍光体の混合比率のバランスをとって、Ｄｕｖを合わせるという作業になる。その結果、２５００Ｋ弱で、青色蛍光体が０となり、相関色温度を下げることができなくなる。この２５００Ｋ、Ｄｕｖ＝０の点に調整した直管形蛍光ランプ１０のメラトニン光束比を基準の１００として、その比で比較する（以降、その比を相対メラトニン光束比と呼ぶ）。この相対メラトニン光束比１００がＤｕｖ＝０という条件での吸収膜４等を用いない３波長形蛍光ランプの下限値ということができ、Ｄｕｖ＝０において、１００以下に下げるのが目標ということになる。
【００２９】
（Ｄｕｖ＝０一定の場合の例）
Ｄｕｖは前述したようにその照明環境の快適性や不快感と特にプラスの大きい側での影響が大きいので、少なくともＤｕｖを固定して直管形蛍光ランプ１０の発光を比較する必要がある。この２５００Ｋ、Ｄｕｖ＝０という発光の直管形蛍光ランプ１０に対して、Ｄｕｖを一定のまま、相関色温度は２０００Ｋ以上であれば、動かしても良いという条件で、メラトニン分泌抑制作用を低減するためにフィルタすなわち、吸収膜４を利用することとした。このねらいは、直管形蛍光ランプ１０の青の領域にある水銀の発光輝線を押さえ、これによるメラトニン分泌抑制作用を押さえるというものであり、特に、通常の視覚としての感度がより小さい、４００ｎｍに近いものを押さえるというものである。４００ｎｍから５００ｎｍにかけて、３カ所のピーク、すなわち４０５ｎｍから４１０ｎｍ（１番目のピーク）、４３０ｎｍから４４０ｎｍ（２番目のピーク）、４８０ｎｍから５１０ｎｍ（３番目のピーク、これは緑色蛍光体の副ピークによる）がある。吸収膜４によりこの１番目のピークをとると、相対メラトニン光束比は９１、相関色温度が２４７０Ｋとなる。さらに２番目のピークを４０％強になるまでとると、２０００Ｋとなり相対メラトニン光束比は６１となる。Ｄｕｖ＝０という条件では相関色温度の下限である２０００Ｋ以下となるため、これ以上、吸収することができない。
【００３０】
（Ｄｕｖ＝１０一定の場合の例）
一方、Ｄｕｖを１０までなら、若干の快適性の犠牲ですむため、Ｄｕｖ＝１０という上限でメラトニン分泌抑制作用を低減する検討を行った。上記、３カ所のピークのうち、１番目のピークを吸収させると、相関色温度３０００Ｋ、相対メラトニン光束比が９７となり、小さいが効果はあり、さらに２番目のピークを吸収させると、２２７０Ｋ、相対メラトニン光束比が５２で、効果が見られる。また、さらに３番目のピークをほぼ半分にすると、２０００Ｋとなり、相対メラトニン光束比が１７まで低減される。この３番目のピークをさらに低下させると、さらに相対メラトニン光束比は低下するが、快適性からの限界である、２０００Ｋを割る。この３番目のピークを半減以上低下させない現実的な条件として、４９０  ｎｍにおいて８０％以上の透過率があればよいので、このＤｕｖ＝１０という条件では、２０００Ｋ以上という条件と一致している。この２０００Ｋという条件を満たす吸収膜４の吸収波長は、これより低いＤｕｖに対して、短波長側となる。
【００３１】
（Ｄｕｖ＝５一定の場合の例）
また、Ｄｕｖ＝５の場合も同様に、１番目のピークを吸収させると、相関色温度２７４０Ｋ、相対メラトニン光束比が９４、２番目のピークを９０％吸収させると、２０３０Ｋ、相対メラトニン光束比が５０となる。これ以上吸収させると、２０００Ｋを割ることになる。すなわち、Ｄｕｖが５〜１０という若干、快適性のレベルの低い領域では、Ｄｕｖが０の場合に比較すると、吸収膜４によってより大きく相対メラトニン光束比を減少させることができる。
【００３２】
（吸収膜４の条件）
ここまでの検討結果等をまとめるとＤｕｖの−１０〜１０の範囲について、少なくとも吸収膜４の透過率が、４１５ｎｍで２０％以下であれば、メラトニン分泌抑制作用の低減作用はある。一方、４９０ｎｍにおいて、８０％以上の透過率が必要で、これは、Ｄｕｖが−１０〜１０かつ２０００Ｋ以上という条件を満たすために必要である。
【００３３】
（青色蛍光体の効果）
３波長蛍光ランプにおいては、所定の光色を実現するためには赤、緑、青の３カテゴリーの蛍光体の比率を調整して実現する。このうち、青の蛍光体のピーク波長は、４４０ｎｍから４９０ｎｍにあり、図４に示すメラトニン分泌抑制作用の分光作用関数の値の大きい位置にある。従って、青の蛍光体はできるだけ少ない方がよく、まったく用いないというのがもっとも効果がある。この場合、赤色蛍光体と緑色蛍光体の２種類の蛍光体を使用することになり、その実現できる光色の範囲はその比率というひとつのパラメータとなり、例えば、ｘｙ色度座標上では、１本の線で表され、同様に任意の相関色温度に対してひとつのＤｕｖのみ実現できるという関係（相関色温度−Ｄｕｖ平面を想定すると、その平面上の１本の線）になる。また、このようにして決めた光色に対して、青色蛍光体を少し加えると、上記の線分と交わる方向に光色が変化し、色度平面上で、より広がった面積を持つ範囲で光色が実現できるようになる。
【００３４】
（青色蛍光体の発光比率１）
一方、各蛍光体の製造ばらつきによって、その光色が変化し、赤色蛍光体と緑色蛍光体の２種類のみを使用した場合、その実現できる光色が変化するので、ばらつきに対応した光色の調整が難しいという課題があるが、これに青色蛍光体を若干加えておくと、この青色蛍光体の比率も光色の調整に使えるため、面の範囲で光色が実現でき、任意の位置に光色を調整できるという利点がある。このため、ばらつきでずれることが想定される範囲の青色蛍光体を混合しておけばよい。これに必要な青色蛍光体は、その発光エネルギーの、ランプからの可視放射全体のエネルギーに対する比率で表して、１％以下で十分である。この１％の発光比率に対応する青色蛍光体を追加することによる相対メラトニン光束比の変化は１０％程度である。この青色蛍光体の比率は光色のばらつきの許容範囲によるので、種々のパラメータを変化させて、メラトニン光束比などの比較をする場合は一定値にして行うのが妥当である。なお、可視放射の範囲はＪＩＳ  Ｚ  ８１１３によると確定しておらず、ここでは３８０ｎｍから７８０ｎｍの間の放射とする。
【００３５】
以上をまとめると、この実施の形態１は、視環境の快適性の観点から、Ｄｕｖを−１０から１０の範囲、相関色温度を２０００Ｋ以上とし、次に、メラトニン分泌抑制作用を減じるという観点から、Ｄｕｖを一定にして、相関色温度を低下させてゆく方向で、青色蛍光体を問題がない範囲で減少させ、適当な条件の吸収膜４をつけたものである。
【００３６】
さらに好適な範囲として、Ｄｕｖを５〜１０にした場合、若干、視環境では劣ることになるが、メラトニン分泌抑制作用を小さくする効果が大きく、Ｄｕｖを−１０〜２にした場合、視環境の快適性からはほとんど問題はないが、メラトニン分泌抑制作用が若干、Ｄｕｖ５〜１０に比較すると劣る範囲となる。
【００３７】
（吸収膜４）
吸収膜４の一例としては、ポリエチレンテレフタラート（ＰＥＴ）に、適当な光吸収材料を混合して、チューブにし、それをランプに被せて加熱し、収縮させ密着させる。光吸収材料として微粉末のプラセオジム（Ｐｒ）、あるいは、酸化チタンなどを用いることができ、この他、有機の種々の材料を利用することができる。さらに、図１等の例では吸収膜４をガラス管１外面に密着させたＰＥＴとしたが、もちろんこれと異なる材料でもよく、基本的に記載の条件で規定する透過条件を満たせば効果があり、さらにガラス管１の内面の蛍光面３との間に、無機物の吸収面を設けても、また、ガラス自身の透過率を、その成分を換えることによっても同じように効果がある。また、外部に吸収膜４を設ける場合でも、ここまではガラス管１に密着するタイプで説明したが、必ずしも密着していなくても、同様な効果がある。
【００３８】
実施の形態２．
実施の形態２においては、実施の形態１と同様、図１あるいは図２に示される仕様は同様で、蛍光面３に、５３０ｎｍから５５０ｎｍにピークのある緑色蛍光体と、６００ｎｍから６５０ｎｍにピークのある赤色蛍光体と、４４０ｎｍから４９０ｎｍにピークのある青色蛍光体とにより、蛍光面３を形成し、透過率が４１５ｎｍ以下の各波長において２０％以下、４３５ｎｍにおいて７０％以上の吸収膜４を備える。これにより、４０５ｎｍから４１０ｎｍまでの１番目のピークをほぼ吸収することになる。さらに、上記３種類の蛍光体の比率を調整し、点灯時の光色を、Ｄｕｖを−１０から１０の範囲、相関色温度を２５００Ｋ以上、３０００Ｋ以下とした。これ以外は実施の形態１と同様である。
【００３９】
メラトニン分泌の抑制を特に防がなくてはならない、夕方以降、就寝までに過ごす場としては、「くつろぎ」と、「就寝前」の比率が高く、その照明としては、心理テストの結果２５００Ｋから３０００Ｋが好まれることがわかった。光色として、この相関色温度で、かつ大きな不快感をもたらさない、Ｄｕｖが−１０から１０の範囲がその条件となる。この中で適当な相関色温度と、Ｄｕｖを、その想定する用途に合わせて設定した後、その条件内で、メラトニン分泌の抑制作用が小さい条件、すなわち相対メラトニン光束比が小さい範囲を探した。その結果、透過率が４１５ｎｍ以下の各波長において、２０％以下、４３５ｎｍにおいて７０％以上の透過率を持つ吸収膜４を設ければ、いずれの場合も、吸収膜４を持たない、まったく同じ光色の直管形蛍光ランプ１０より、相対メラトニン光束比が小さくなることがわかった。これより、吸収率が上昇する波長が短い、あるいは同じ波長で、吸収率が高いと、ほとんど効果が見られなくなる。また、これより、吸収率が上昇する波長が長い、あるいは同じ波長で、吸収率が低いと、逆に相対メラトニン光束比が大きくなる。後者の原因は４３５ｎｍ近辺以上の発光をとると、光色を一定にするために、カットした波長より長い波長で、青色蛍光体を増やさなくてはならなくなってこの発光により逆に相対メラトニン光束比が増加することになる。すなわち、光色を固定するという条件で構成されたこの実施の形態２においては、この条件のために相対メラトニン光束比を小さくするのが、実施の形態１より難しいといえる。
【００４０】
一例としては、２５００Ｋ、Ｄｕｖを０とし、１番目のピークを吸収した場合、相対メラトニン光束比が１００から９３へと、７％低下する。また、３０００Ｋ、Ｄｕｖを０とし、同じく１番目のピークを吸収した場合、相対メラトニン光束比が１３８から１３１へと、約５％低下する。
【００４１】
実施の形態１、実施の形態２では、直管形蛍光ランプ１０を用いて説明したが、環形あるいはコンパクト型、あるいは電球形等でも同様な効果があるのはもちろんであり、また、電極としてフィラメントを用い、外部からリード線を介して、電力を供給するタイプで説明したが、フィラメントを用いない、自己加熱あるいは冷陰極でもよく、さらに高周波を用い、内部に電極のない、例えば、外部電極タイプ、あるいは電磁界で電力を供給するタイプなどでも同様な効果がある。
【図面の簡単な説明】
【００４２】
【図１】実施の形態１，２を示す図で、一部を断面で示す直管形蛍光ランプ１０の平面図である。
【図２】実施の形態１，２を示す図で、蛍光面３付近の拡大断面図である。
【図３】実施の形態１を示す図で、直管形蛍光ランプ１０の分光分布を示す図である。
【図４】Ｂｒａｉｎａｒｄらの報告によるメラトニン分泌抑制作用分光特性図である。
【符号の説明】
【００４３】
１  ガラス管、２ａ  フィラメント、２ｂ  フィラメント、３  蛍光面、４  吸収膜。
【図１】
0004787066.tif 000002
【図３】
0004787066.tif 000003
【図４】
0004787066.tif 000004
【図２】
0004787066.tif 000005